(57)【特許請求の範囲】
【請求項１】
静電潜像が表面に形成されこの静電潜像が現像剤で現像される、支持体に回転自在に支持された円筒状の被現像体に対して、それぞれの周面が対向するように互いに並んで配置され、それぞれが現像剤を該周面に支持して該周面の周方向に回転することで該現像剤を該被現像体の表面へと搬送する２本の現像剤搬送体と、
前記２本の現像剤搬送体が搬送する現像剤を収容するとともに、前記２本の現像剤搬送体が延びる延伸方向の両端部分に１つずつ設けられた一対の側壁で前記２本の現像剤搬送体それぞれの回転軸を回転自在に支持する収容器と、
前記２本の現像剤搬送体のそれぞれの両端部分に支持され、前記被現像体もしくは前記支持体に突き当てられることで該被現像体と該現像剤搬送体との隙間を維持する４つの隙間維持部材と、
前記収容器を間に置いて前記一対の側壁それぞれと対面する位置に配置され前記支持体に固定された一対の固定部材とを備え、
互いに対面する前記側壁と前記固定部材とからなる２つの対それぞれにおいて、該側壁と該固定部材とのうちの一方に前記被現像体に向かって延びる長穴が形成されるとともに他方には該長穴に差し込まれる支持突起が設けられ、前記収容器は、該２つの対の各長穴に各支持突起が差し込まれることによって前記固定部材に支持されたものであって、
前記２つの対のうちの少なくとも一方の対の前記長穴は、前記被現像体に向かう向きとは交わる向きが該長穴に差し込まれる前記支持突起の径よりも幅広に形成され、
前記収容器は、前記２本の現像剤搬送体のそれぞれを前記被現像体に向かって押す力が付与され、前記４つの隙間維持部材が４つとも、該２本の現像剤搬送体それぞれの回転中心線と該被現像体の回転中心線とが平行からずれることを許容して、前記被現像体もしくは前記支持体に突き当てられていることを特徴とする現像装置。
【請求項２】
前記固定部材と前記収容器との間に介在し、前記収容器を、前記２本の現像剤搬送体のそれぞれが前記被現像体に向かう向きに加圧する加圧部材を備えたものであることを特徴とする請求項１記載の現像装置。
【請求項３】
静電潜像が表面に形成されこの静電潜像が現像剤で現像される円筒状の被現像体と、
前記被現像体を回転自在に支持する支持体と、
前記被現像体を現像する現像装置とを備え、
前記現像装置が、
前記被現像体に対して、それぞれの周面が対向するように互いに並んで配置され、それぞれが現像剤を該周面に支持して該周面の周方向に回転することで該現像剤を該被現像体の表面へと搬送する２本の現像剤搬送体と、
前記２本の現像剤搬送体が搬送する現像剤を収容するとともに、前記２本の現像剤搬送体が延びる延伸方向の両端部分に１つずつ設けられた一対の側壁で前記２本の現像剤搬送体それぞれの回転軸を回転自在に支持する収容器と、
前記２本の現像剤搬送体のそれぞれの両端部分に支持され、前記被現像体もしくは前記支持体に突き当てられることで該被現像体と該現像剤搬送体との隙間を維持する４つの隙間維持部材と、
前記収容器を間に置いて前記一対の側壁それぞれと対面する位置に配置され前記支持体に固定された一対の固定部材とを備え、
互いに対面する前記側壁と前記固定部材とからなる２つの対それぞれにおいて、該側壁と該固定部材とのうちの一方に前記被現像体に向かって延びる長穴が形成されるとともに他方には該長穴に差し込まれる支持突起が設けられ、前記収容器は、該２つの対の各長穴に各支持突起が差し込まれることによって前記固定部材に支持されたものであって、
前記２つの対のうちの少なくとも一方の対の前記長穴は、前記被現像体に向かう向きとは交わる向きが該長穴に差し込まれる前記支持突起の径よりも幅広に形成され、
前記収容器は、前記２本の現像剤搬送体のそれぞれを前記被現像体に向かって押す力が付与され、前記４つの隙間維持部材が４つとも、該２本の現像剤搬送体それぞれの回転中心線と該被現像体の回転中心線とが平行からずれることを許容して、前記被現像体もしくは前記支持体に突き当てられていることを特徴とする画像形成装置。
【請求項４】
静電潜像が表面に形成されこの静電潜像が現像剤で現像される、支持体に回転自在に支持された円筒状の被現像体に対して、それぞれの周面が対向するように互いに並んで配置され、それぞれが現像剤を該周面に支持して該周面の周方向に回転することで該現像剤を該被現像体の表面へと搬送する２本の現像剤搬送体と、
前記２本の現像剤搬送体が搬送する現像剤を収容するとともに、前記２本の現像剤搬送体が延びる延伸方向の両端部分に１つずつ設けられた一対の側壁で前記２本の現像剤搬送体それぞれの回転軸を回転自在に支持する収容器と、
前記収容器を間に置いて前記一対の側壁それぞれと対面する位置に配置され前記支持体に固定された一対の固定部材と、
前記収容器の側壁を前記固定部材に固定するねじ部材とを備え、
互いに対面する前記側壁と前記固定部材とからなる２つの対それぞれにおいて、該側壁と該固定部材とのうちの一方に前記被現像体に向かって延びて前記ねじ部材が差し込まれる長穴が形成されるとともに、該２つの対のうちの少なくとも一方の対の長穴は、前記被現像体に向かう向きとは交わる向きの幅が該長穴に差し込まれる前記ねじ部材の径よりも幅広に形成され、
互いに対面する前記側壁と前記固定部材とからなる２つの対それぞれにおける前記長穴が形成された前記一方とは異なる他方には、前記２本の現像剤搬送体それぞれの回転中心線と前記被現像体の回転中心線とが平行からずれて該２本の現像剤搬送体が該被現像体の周方向に傾くような該収容器の姿勢を許容して該収容器を前記ねじ部材で該固定部材に固定させるねじ穴を有することを特徴とする現像装置。
【請求項５】
静電潜像が表面に形成されこの静電潜像が現像剤で現像される円筒状の被現像体と、
前記被現像体を回転自在に支持する支持体と、
前記被現像体を現像する現像装置とを備え、
前記現像装置が、
前記被現像体に対して、それぞれの周面が対向するように互いに並んで配置され、それぞれが現像剤を該周面に支持して該周面の周方向に回転することで該現像剤を該被現像体の表面へと搬送する２本の現像剤搬送体と、
前記２本の現像剤搬送体が搬送する現像剤を収容するとともに、前記２本の現像剤搬送体が延びる延伸方向の両端部分に１つずつ設けられた一対の側壁で前記２本の現像剤搬送体それぞれの回転軸を回転自在に支持する収容器と、
前記収容器を間に置いて前記一対の側壁それぞれと対面する位置に配置され前記支持体に固定された一対の固定部材と、
前記収容器の側壁を前記固定部材に固定するねじ部材とを備え、
互いに対面する前記側壁と前記固定部材とからなる２つの対それぞれにおいて、該側壁と該固定部材とのうちの一方に前記被現像体に向かって延びて前記ねじ部材が差し込まれる長穴が形成されるとともに、該２つの対のうちの少なくとも一方の対の長穴は、前記被現像体に向かう向きとは交わる向きの幅が該長穴に差し込まれる前記ねじ部材の径よりも幅広に形成され、
互いに対面する前記側壁と前記固定部材とからなる２つの対それぞれにおける前記長穴が形成された前記一方とは異なる他方には、前記２本の現像剤搬送体それぞれの回転中心線と前記被現像体の回転中心線とが平行からずれて該２本の現像剤搬送体が該被現像体の周方向に傾くような該収容器の姿勢を許容して該収容器を前記ねじ部材で該固定部材に固定させるねじ穴を有することを特徴とする画像形成装置。
【発明の詳細な説明】
【技術分野】
【０００１】
本発明は、現像装置および画像形成装置に関する。
【背景技術】
【０００２】
例えば、特許文献１および特許文献２のそれぞれには、感光ドラムに近接対向するとともに互いに隣り合う第１現像スリーブおよび第２現像スリーブを備えた現像装置が示されている。特許文献１の現像装置には、第１の現像スリーブを中心として回動するとともに第２の現像スリーブを支持する支持手段と、第２の現像スリーブを感光ドラムに向かって加圧する加圧手段が備えられている。第２の現像スリーブが加圧手段に加圧されると、２つの現像スリーブそれぞれの両端部に設けられた４つの離間部材（スペーサコロ）が感光ドラムに突き当たる。また、特許文献２の現像装置には、第１の現像スリーブを回動中心として、第２の現像スリーブの回転軸方向一端部を回動方向に移動する支持手段が示されている。また、特許文献３には、２つの現像剤担持部材を支持する現像剤収容部材が、弾性部材で結合された複数の部分からなる現像装置が示されている。
【先行技術文献】
【特許文献】
【０００３】
【特許文献１】特開２００２−３５７９５１号公報
【特許文献２】特開２００２−３５１２１１号公報
【特許文献３】特開２００３−１４９９４３号公報
【発明の概要】
【発明が解決しようとする課題】
【０００４】
本発明は、部品数が低減された現像装置および画像形成装置を提供することを目的とする。
【課題を解決するための手段】
【０００５】
請求項１に係る現像装置は、
静電潜像が表面に形成されこの静電潜像が現像剤で現像される、支持体に回転自在に支持された円筒状の被現像体に対して、それぞれの周面が対向するように互いに並んで配置され、それぞれが現像剤をこの周面に支持してこの周面の周方向に回転することでこの現像剤をこの被現像体の表面へと搬送する２本の現像剤搬送体と、
上記２本の現像剤搬送体が搬送する現像剤を収容するとともに、上記２本の現像剤搬送体が延びる延伸方向の両端部分に１つずつ設けられた一対の側壁で上記２本の現像剤搬送体それぞれの回転軸を回転自在に支持する収容器と、
上記２本の現像剤搬送体のそれぞれの両端部分に支持され、上記被現像体もしくは上記支持体に突き当てられることでこの被現像体とこの現像剤搬送体との隙間を維持する４つの隙間維持部材と、
上記収容器を間に置いて上記一対の側壁それぞれと対面する位置に配置され上記支持体に固定された一対の固定部材とを備え、
互いに対面する側壁と固定部材とからなる２つの対それぞれにおいて、側壁と固定部材とのうちの一方に上記被現像体に向かって延びる長穴が形成されるとともに他方にはその長穴に差し込まれる支持突起が設けられ、上記収容器は、それら２つの対の各長穴に各支持突起が差し込まれることによって固定部材に支持されたものであって、
上記２つの対のうちの少なくとも一方の対の長穴は、上記被現像体に向かう向きとは交わる向きがその長穴に差し込まれる支持突起の径よりも幅広に形成され、
上記収容器は、上記２本の現像剤搬送体のそれぞれを上記被現像体に向かって押す力が付与され、上記４つの隙間維持部材が４つとも、この２本の現像剤搬送体それぞれの回転中心線とこの被現像体の回転中心線とが平行からずれることを許容して、上記被現像体もしくは上記支持体に突き当てられていることを特徴とする。
【０００６】
請求項２に係る現像装置は、
上記固定部材と上記収容器との間に介在し、上記収容器を、上記２本の現像剤搬送体のそれぞれが上記被現像体に向かう向きに加圧する加圧部材を備えたものであることを特徴とする。
【０００７】
請求項３に係る画像形成装置は、
静電潜像が表面に形成されこの静電潜像が現像剤で現像される円筒状の被現像体と、
上記被現像体を回転自在に支持する支持体と、
上記被現像体を現像する現像装置とを備え、
上記現像装置が、
上記被現像体に対して、それぞれの周面が対向するように互いに並んで配置され、それぞれが現像剤をこの周面に支持してこの周面の周方向に回転することでこの現像剤をこの被現像体の表面へと搬送する２本の現像剤搬送体と、
上記２本の現像剤搬送体が搬送する現像剤を収容するとともに、上記２本の現像剤搬送体が延びる延伸方向の両端部分に１つずつ設けられた一対の側壁で上記２本の現像剤搬送体それぞれの回転軸を回転自在に支持する収容器と、
上記２本の現像剤搬送体のそれぞれの両端部分に支持され、上記被現像体もしくは上記支持体に突き当てられることでこの被現像体とこの現像剤搬送体との隙間を維持する４つの隙間維持部材と、
上記収容器を間に置いて上記一対の側壁それぞれと対面する位置に配置され上記支持体に固定された一対の固定部材とを備え、
互いに対面する側壁と固定部材とからなる２つの対それぞれにおいて、側壁と固定部材とのうちの一方に上記被現像体に向かって延びる長穴が形成されるとともに他方にはその長穴に差し込まれる支持突起が設けられ、上記収容器は、それら２つの対の各長穴に各支持突起が差し込まれることによって固定部材に支持されたものであって、
上記２つの対のうちの少なくとも一方の対の長穴は、上記被現像体に向かう向きとは交わる向きがその長穴に差し込まれる支持突起の径よりも幅広に形成され、
上記収容器は、上記２本の現像剤搬送体のそれぞれを上記被現像体に向かって押す力が付与され、上記４つの隙間維持部材が４つとも、この２本の現像剤搬送体それぞれの回転中心線とこの被現像体の回転中心線とが平行からずれることを許容して、上記被現像体もしくは上記支持体に突き当てられていることを特徴とする。
【０００８】
請求項４に係る現像装置は、
静電潜像が表面に形成されこの静電潜像が現像剤で現像される、支持体に回転自在に支持された円筒状の被現像体に対して、それぞれの周面が対向するように互いに並んで配置され、それぞれが現像剤をこの周面に支持してこの周面の周方向に回転することでこの現像剤をこの被現像体の表面へと搬送する２本の現像剤搬送体と、
上記２本の現像剤搬送体が搬送する現像剤を収容するとともに、上記２本の現像剤搬送体が延びる延伸方向の両端部分に１つずつ設けられた一対の側壁で上記２本の現像剤搬送体それぞれの回転軸を回転自在に支持する収容器と、
上記収容器を間に置いて上記一対の側壁それぞれと対面する位置に配置され上記支持体に固定された一対の固定部材と、
上記収容器の側壁を上記固定部材に固定するねじ部材とを備え、
互いに対面する上記側壁と上記固定部材とからなる２つの対それぞれにおいて、それら側壁と固定部材とのうちの一方に上記被現像体に向かって延びて上記ねじ部材が差し込まれる長穴が形成されるとともに、それら２つの対のうちの少なくとも一方の対の長穴は、上記被現像体に向かう向きとは交わる向きの幅が長穴に差し込まれるねじ部材の径よりも幅広に形成され、
互いに対面する上記側壁と上記固定部材とからなる２つの対それぞれにおける上記長穴が形成された上記一方とは異なる他方には、上記２本の現像剤搬送体それぞれの回転中心線と上記被現像体の回転中心線とが平行からずれてこの２本の現像剤搬送体がこの被現像体の周方向に傾くようなこの収容器の姿勢を許容してこの収容器を上記ねじ部材でこの固定部材に固定させるねじ穴を有することを特徴とする。
【００１０】
請求項５に係る画像形成装置は、
静電潜像が表面に形成されこの静電潜像が現像剤で現像される円筒状の被現像体と、
上記被現像体を回転自在に支持する支持体と、
上記被現像体を現像する現像装置とを備え、
上記現像装置が、
上記被現像体に対して、それぞれの周面が対向するように互いに並んで配置され、それぞれが現像剤をこの周面に支持してこの周面の周方向に回転することでこの現像剤をこの被現像体の表面へと搬送する２本の現像剤搬送体と、
上記２本の現像剤搬送体が搬送する現像剤を収容するとともに、上記２本の現像剤搬送体が延びる延伸方向の両端部分に１つずつ設けられた一対の側壁で上記２本の現像剤搬送体それぞれの回転軸を回転自在に支持する収容器と、
上記支持体に固定される固定部材と、
上記収容器の側壁を上記固定部材に固定するねじ部材とを備え、
互いに対面する上記側壁と上記固定部材とからなる２つの対それぞれにおいて、それら側壁と固定部材とのうちの一方に上記被現像体に向かって延びて上記ねじ部材が差し込まれる長穴が形成されるとともに、それら２つの対のうちの少なくとも一方の対の長穴は、上記被現像体に向かう向きとは交わる向きの幅が長穴に差し込まれるねじ部材の径よりも幅広に形成され、
互いに対面する上記側壁と上記固定部材とからなる２つの対それぞれにおける上記長穴が形成された上記一方とは異なる他方には、上記２本の現像剤搬送体それぞれの回転中心線と上記被現像体の回転中心線とが平行からずれてこの２本の現像剤搬送体がこの被現像体の周方向に傾くようなこの収容器の姿勢を許容してこの収容器を上記ねじ部材でこの固定部材に固定させるねじ穴を有することを特徴とする。
【発明の効果】
【００１２】
請求項１および請求項４に係る現像装置、並びに請求項３および請求項５に係る画像形成装置は、本構成を有していない場合と比較して部品数が低減される。
【００１３】
請求項２に係る現像装置は、本構成を有していない場合と比較して、固定部に対する収容器の仮止め作業が不要である。
【図面の簡単な説明】
【００１５】
【図１】本発明の画像形成装置の一実施形態を示す構成図である。
【図２】図１に示す現像装置を示す斜視図である。
【図３】図３は現像装置の側面図である。
【図４】図２および図３に示す現像装置の内部構造を示す断面図である。
【図５】図２に示す現像装置の支持構造を示す図であり、パート（Ａ）は左側面図、パート（Ｂ）は断面図、パート（Ｃ）は右側面図である。
【図６】第１現像ロール２２および第２現像ロール２４の姿勢の例を説明する図である。
【図７】第２実施形態の現像装置の支持構造を示す右側面図である。
【図８】第３実施形態の現像装置の支持構造を示す図であり、パート（Ａ）は左側面図、パート（Ｂ）は断面図、パート（Ｃ）は右側面図である。
【発明を実施するための形態】
【００１６】
以下図面を参照して本発明の実施の形態を説明する。
【００１７】
図１は、本発明の画像形成装置の一実施形態を示す構成図である。
【００１８】
図１に示す画像形成装置１は、イエロー（Ｙ）、マゼンタ（Ｍ）、シアン（Ｃ）および、ブラック（Ｋ）の各色毎に像形成部１０Ｙ，１０Ｍ，１０Ｃ，１０Ｋを並列的に配置してなるタンデム型のカラープリンタであり、単色の画像をプリントすることができるほか、４色のトナー像からなるフルカラーの画像をプリントすることができる。トナーカートリッジ１８Ｙ，１８Ｍ，１８Ｃ，１８Ｋには、ＹＭＣＫ各色のトナーが収容されている。
【００１９】
４つの像形成部１０Ｙ，１０Ｍ，１０Ｃ，１０Ｋは、ほぼ同様の構成を有しているため、これらを代表してイエローに対応する像形成部１０Ｙを取り上げて説明する。像形成部１０Ｙは、感光体ドラム１１Ｙ、帯電器１２Ｙ、露光器１３Ｙ、現像装置２０Ｙ、および一次転写器１５Ｙを備えている。また、像形成部１０Ｙには、感光体ドラム１１Ｙを清掃する感光体クリーナ１６Ｙが設けられている。これらの感光体ドラム１１Ｙ、帯電器１２Ｙ、露光器１３Ｙ、現像装置２０Ｙ、および一次転写器１５Ｙは、画像形成装置１全体を支持する本体筐体Ｆに支持されている。現像装置２０Ｙは本発明の現像装置の一実施形態であり、感光体ドラム１１Ｙは、本発明にいう被現像体の一例に相当する。
【００２０】
感光体ドラム１１Ｙは円筒状の基板上に感光体層が設けられており、表面に形成される像を保持して円筒の軸周りである矢印Ａ方向に回転する。帯電器１２Ｙ、露光器１３Ｙ、現像装置２０Ｙ、一次転写器１５Ｙ、および感光体クリーナ１６Ｙは、感光体ドラム１１Ｙの周囲に矢印Ａの方向の順に配置されている。
【００２１】
帯電器１２Ｙは、感光体ドラム１１Ｙの表面を帯電させる装置である。帯電器１２Ｙは、感光体ドラム１１Ｙの表面に接触する帯電ロールである。帯電ロールには、現像装置２０Ｙにおけるトナーと同極性の電圧が印加されており、接触する感光体ドラム１１Ｙの表面を帯電させる。露光器１３Ｙは、感光体ドラム１１Ｙの表面を露光することで静電潜像を形成する。露光器１３Ｙは、画像形成装置１外部から供給される画像信号に応じたレーザ光を発光し、レーザ光で感光体ドラム１１Ｙの表面を走査する。
【００２２】
現像装置２０Ｙは、現像剤を用いて感光体ドラム１１Ｙの表面を現像する。現像装置２０Ｙにはトナーカートリッジ１８Ｙからトナーが供給される。現像装置２０Ｙは、磁性キャリアとトナーが混合された現像剤を撹拌することでトナーおよび磁性キャリアを帯電し、帯電したトナーで感光体ドラム１１Ｙ表面の静電潜像を現像する。
【００２３】
一次転写器１５Ｙは、中間転写ベルト３０を挟んで感光体ドラム１１Ｙに対向したロールである。一次転写器１５Ｙは、感光体ドラム１１Ｙとの間に電圧が印加されることで、感光体ドラム１１Ｙ上のトナー像を中間転写ベルト３０に転写する。感光体クリーナ１６Ｙは、転写後、感光体ドラム１１Ｙの表面に残ったトナー等の不要物を除去することによって、感光体ドラム１１Ｙの表面を清掃する。
【００２４】
画像形成装置１には、中間転写ベルト３０、定着装置６０、用紙搬送部８０、および制御部１Ａも備えられている。中間転写ベルト３０は、ベルト支持ロール３１〜３５に架け渡された無端のベルトである。中間転写ベルト３０は、像形成部１０Ｙ，１０Ｍ，１０Ｃ，１０Ｋ、および二次転写器５０を経由する矢印Ｂの方向に循環移動する。中間転写ベルト３０には、像形成部１０Ｙ，１０Ｍ，１０Ｃ，１０Ｋから各色のトナー像が転写される。中間転写ベルト３０は、これら各色のトナー像を保持して移動する。
【００２５】
二次転写器５０は、ベルト支持ロール３１〜３５の一つであるバックアップロール３４との間に中間転写ベルト３０および用紙Ｐを挟んで回転するロールである。二次転写器５０は、表面に導電性の弾性層を有し、トナーの帯電極性とは逆極性の電圧が印加されることで、中間転写ベルト３０上のトナー像を用紙Ｐに転写する。
【００２６】
定着装置６０は、用紙Ｐ上のトナー像を用紙Ｐに定着する。定着装置６０は、加熱ロール６１および加圧ロール６２を備えており、加熱ロール６１には加熱器が内蔵されている。加熱ロール６１および加圧ロール６２は、トナー像が形成された用紙Ｐを挟んで通過させることによりトナー像を用紙Ｐ上に定着させる。
【００２７】
用紙搬送部８０は、用紙収容器Ｔに収容された用紙Ｐを取り出す取出ロール８１、用紙Ｐを搬送する搬送ロール８２、用紙Ｐを二次転写器５０に搬送するレジストレーションロール８４、および、用紙Ｐを外部に排出する排出ロール８６を備えている。用紙搬送部８０は、用紙Ｐを、二次転写器５０および定着装置６０を経由する用紙搬送路Ｒに沿って搬送する。
【００２８】
図１に示す画像形成装置１の基本動作を説明すると、イエローに対応する像形成部１０Ｙでは、感光体ドラム１１Ｙが矢印Ａ方向に回転し、感光体ドラム１１Ｙの表面が帯電器１２Ｙによって帯電する。露光器１３Ｙは、外部から供給される画像信号のうちのイエローに対応する画像信号に基づく露光光を感光体ドラム１１Ｙの表面に照射することで、感光体ドラム１１Ｙの表面に静電潜像を形成する。現像装置２０Ｙは、トナーカートリッジ１８Ｙからイエローのトナーの供給を受け、感光体ドラム１１Ｙの静電潜像をトナーで現像することで、トナー像を形成する。感光体ドラム１１Ｙは、表面に形成されたイエローのトナー像を保持して回転する。感光体ドラム１１Ｙの表面に形成されたトナー像は、一次転写器１５Ｙによって中間転写ベルト３０に転写される。転写後、感光体ドラム１１Ｙに残留したトナーは、感光体クリーナ１６Ｙによって除去される。
【００２９】
中間転写ベルト３０は、矢印Ｂ方向に巡回移動している。イエロー以外の色に対応する像形成部１０Ｍ，１０Ｃ，１０Ｋは、像形成部１０Ｙと同様、それぞれの色に対応するトナー像を形成し、中間転写ベルト３０に、像形成部１０Ｙで転写されたトナー像に重ねて、それぞれの色のトナー像を転写していく。
【００３０】
用紙収容器Ｔからは取出ロール８１によって用紙Ｐが取り出される。用紙Ｐは、搬送ロール８２およびレジストレーションロール８４によって、用紙搬送路Ｒを二次転写器５０に向かう矢印Ｃ方向に搬送される。レジストレーションロール８４は、用紙Ｐを、中間転写ベルト３０上にトナー像が転写されるタイミングに基づいて二次転写器５０に送り込む。二次転写器５０は、中間転写ベルト３０と用紙Ｐとの間に電界を生じさせて、中間転写ベルト３０のトナー像を用紙Ｐに転写する。トナー像が転写された用紙Ｐは定着装置６０に搬送され、定着装置６０によってトナー像が用紙Ｐ上に定着される。このようにして、用紙Ｐに画像が形成される。画像が形成された用紙Ｐは排出ロール８６によって画像形成装置１の外部に排出される。
【００３１】
［現像装置］
図２は、図１に示す現像装置を示す斜視図である。図２には、現像装置２０とともに感光体ドラム１１および感光体クリーナ１６も示されている。また、図３は現像装置の側面図である。図３には、現像装置２０とともに感光体ドラム１１も示されている。図２および図３に示す構成は、ＹＭＣＫの各色について共通であるため、以降、現像装置、感光体、および感光体クリーナの符号を、単に２０、１１、および１６とする。
【００３２】
感光体ドラム１１、感光体クリーナ１６、および現像装置２０は、画像形成装置１の本体筐体Ｆ（図１参照）に支持されている。感光体ドラム１１は、本体筐体Ｆ（図１参照）に対し回転中心線Ｏを中心として回転自在に支持されている。より詳細には、感光体ドラム１１の軸部１１ａが、本体筐体Ｆに固定されたドラム支持体１０１に、軸受１１３を介して支持されている。ドラム支持体１０１には、位置基準部材１１２も取り付けられている。本体筐体Ｆ、ドラム支持体１０１および位置基準部材１１２は、本発明にいう支持体の一例に相当する。
【００３３】
現像装置２０は、収容器２１、および、２つの支持フレーム２９Ｌ，２９Ｒを備えている。支持フレーム２９Ｌ，２９Ｒは本体筐体Ｆに固定される部材である。支持フレーム２９Ｌ，２９Ｒには、本体筐体Ｆ（図１参照）と係合する係合突起２９０が設けられている。支持フレーム２９Ｌ，２９Ｒは、本発明にいう固定部材の一例に相当する。
【００３４】
収容器２１は、現像剤を収容するとともに現像装置２０の各部材を支持する部材である。収容器２１は、側面および底面が樹脂成型によって一体に形成された剛構造の容器本体の上部に蓋が取り付けられた基本構造を有する。収容器２１の両側壁２１Ｌ，２１Ｒには、支持突起２１１Ｌ，２１１Ｒがそれぞれ設けられている。支持突起２１１Ｌ，２１１Ｒは、２つの支持フレーム２９Ｌ，２９Ｒに設けられた穴にそれぞれ挿入されている。図３には、感光体ドラム１１から見て現像装置２０の右側面、すなわち画像形成装置１において操作者側に向く面が示されている。図３に示す右側の支持フレーム２９Ｒには幅広穴２９５が設けられており、支持突起２１１Ｒは、この幅広穴２９５に挿入されている。本実施形態では、右側の支持フレーム２９Ｒの幅広穴２９５と左側の支持フレーム２９Ｌの穴とで形状が異なるが、これついては後に説明する。
【００３５】
現像装置２０には、収容器２１を感光体ドラム１１に向けて加圧する２つのバネ部材２０１，２０３も備えられている。バネ部材２０１，２０３は、本発明にいう加圧部材の一例に相当する。バネ部材２０１，２０３は、支持フレーム２９Ｌ，２９Ｒと収容器２１との間に介在している。より詳細には、右側の支持フレーム２９Ｒには、調整ねじ２９１がねじ係合しており、バネ部材２０１は、調整ねじ２９１と収容器２１との間に介在している。また、左側の支持フレーム２９Ｌには、調整ねじ２９３がねじ係合しており、バネ部材２０３が、調整ねじ２９３と収容器２１との間に介在している。バネ部材２０１，２０３は圧縮ばねであり、収容器２１を感光体ドラム１１に向けて加圧している。また、図３には、収容器２１が感光体ドラム１１に向けて加圧されることによって位置基準部材１１２に突き当てられる、トラッキングロール２２１，２４１も示されている。
【００３６】
図４は、図２および図３に示す現像装置２０の内部構造を示す断面図である。また、図５は、図２に示す現像装置の支持構造を示す図である。図５のパート（Ａ）は左側面図であり、パート（Ｂ）は現像ロールおよび支持突起を通る断面を示す断面図であり、パート（Ｃ）は右側面図である。
【００３７】
現像装置２０の収容器２１内には、第１現像ロール２２、第１磁石２３、第２現像ロール２４、第２磁石２５、第１撹拌部材２６Ａ、第２撹拌部材２６Ｂ、およびパドル部材２７が備えられている。第１現像ロール２２および第２現像ロール２４のそれぞれは、本発明にいう現像剤搬送体の一例に相当する。また、トラッキングロール２２１，２４１のそれぞれは、本発明にいう隙間維持部材の一例に相当する。
【００３８】
第１現像ロール２２および第２現像ロール２４は、回転することで、収容器２１内の現像剤を感光体ドラム１１の表面へと搬送する部材である。第１現像ロール２２および第２現像ロール２４は、感光体ドラム１１と並行して延伸方向Ｙに延びた円筒状であり、感光体ドラム１１に対して周面が対向するように互いに並んで配置されている。第１現像ロール２２および第２現像ロール２４は、第１現像領域ｄ１および第２現像領域ｄ２でそれぞれ感光体ドラム１１に対向している。第１現像ロール２２の延伸方向Ｙ両端にある軸部２２ａは、軸受部材２１２を介して、収容器２１の延伸方向Ｙ両端部分の側壁２１Ｌ，２１Ｒに回転自在に支持されている。また、第２現像ロール２４の軸部２４ａも、軸受部材２１４を介して側壁２１Ｌ，２１Ｒに回転自在に支持されている。第１現像ロール２２および第２現像ロール２４それぞれの軸部２２ａ，２４ａに、トラッキングロール２２１，２４１が設けられている。図３を参照して説明したように、収容器２１がバネ部材２０１，２０３によって感光体ドラム１１に向けて加圧されると、トラッキングロール２２１，２４１が感光体ドラム１１の位置基準部材１１２に突き当てられ、第１現像ロール２２および第２現像ロール２４と感光体ドラム１１との隙間が予め設定された間隔とに維持される。これによって、感光体ドラム１１に形成されるトナー像の濃度が予め設定された範囲内に維持される。
【００３９】
第１現像ロール２２は、矢印Ａの方向に回転する感光体ドラム１１の周面が移動する方向において、第２現像ロール２４よりも下流側に配置されている。第１現像ロール２２の内部には第１磁石２３が配置されており、現像剤を第１現像ロール２２に引き付ける。また、第２現像ロール２４の内部には第２磁石２５が配置されており、現像剤を第２現像ロール２４に引き付ける。第１磁石２３および第２磁石２５は、固定部材２１３，２１５（図３参照）によって収容器２１に固定されている。なお図５においては、現像ロールの位置を見やすくするため、固定部材２１３，２１５の図示を省略している。第１現像ロール２２は矢印Ｄ方向に回転し、第２現像ロール２４は第１現像ロール２２とは反対方向である矢印Ｅ方向に回転する。すなわち、第１現像ロール２２および第２現像ロール２４は、互いに向き合う周面が同じ向きに移動するように回転する。第１現像ロール２２は、第１現像領域ｄ１で感光体ドラム１１と対向する周面が、感光体ドラム１１周面の移動方向と同じ向きに移動する。第２現像ロール２４は、第２現像領域ｄ２で感光体ドラム１１と対向する周面が、感光体ドラム１１周面の移動方向とは逆向きに移動する。
【００４０】
第１撹拌部材２６Ａおよび第２撹拌部材２６Ｂは、収容器２１内の現像剤を撹拌する部材である。第１撹拌部材２６Ａおよび第２撹拌部材２６Ｂのそれぞれは、延伸方向Ｙに延びた回転軸の周囲に螺旋状の羽根が設けられた構造を有する。第１撹拌部材２６Ａおよび第２撹拌部材２６Ｂは互いに隣接して設けられており、また、第１撹拌部材２６Ａは第１現像ロール２２に隣接している。第１撹拌部材２６Ａおよび第２撹拌部材２６Ｂは回転することで現像剤を延伸方向Ｙにおける互いに反対向きに搬送する。第１撹拌部材２６Ａおよび第２撹拌部材２６Ｂによって、現像剤が撹拌されながら収容器２１内を循環移動する。現像剤のトナーおよび磁性キャリアは、撹拌されることで帯電する。
【００４１】
第１撹拌部材２６Ａによって搬送された現像剤は第１現像ロール２２に引き付けられ、第１現像ロール２２上に支持され第１現像ロール２２の矢印Ｄの方向に沿って移動する。第１現像ロール２２の周面における、第１撹拌部材２６Ａと第２現像ロール２４との間には、板状の層規制部材２０５が配置されている。第１現像ロール２２上の現像剤は、層規制部材２０５によって厚みすなわち搬送量が規制された後、一部が第２現像ロール２４に移る。第２現像ロール２４上に移った現像剤は、第２現像ロール２４上に支持され感光体ドラム１１の第２現像領域ｄ２に搬送される。第１現像ロール２２上に残った現像剤は感光体ドラム１１の第１現像領域ｄ１に搬送される。現像剤中のトナーが感光体ドラム１１の静電潜像に付着することでトナー像が形成される。感光体ドラム１１は、第２現像領域ｄ２と第１現像領域ｄ１の２か所で現像剤と接触する。第１現像領域ｄ１で感光体ドラム１１に付着した残りの現像剤は、第１現像ロール２２に搬送されて第１撹拌部材２６Ａに戻る。第２現像領域ｄ２で感光体ドラム１１に付着した残りの現像剤は、第２現像ロール２４に搬送された後、パドル部材２７に掻き寄せられて第１撹拌部材２６Ａに戻る。
【００４２】
［支持フレームおよび収容器の支持構造］
本実施形態の現像装置では、図５に示すように、収容器２１の延伸方向Ｙ両端部分にある両側壁２１Ｌ，２１Ｒに設けられた支持突起２１１Ｌ，２１１Ｒが、２つの支持フレーム２９Ｌ，２９Ｒに設けられた穴２９５，２９６に、それぞれ挿入されている。より詳細には、図５のパート（Ａ）に示すように、収容器２１の左の側壁２１Ｌに設けられた支持突起２１１Ｌは、左側の支持フレーム２９Ｌに設けられた長穴２９６に挿入されている。この長穴２９６は、感光体ドラム１１に向かって長く延びており、支持突起２１１Ｌの径に相応する幅を有する。したがって、左側の支持突起２１１Ｌは、感光体ドラム１１に向かうドラム方向Ｋに移動自在であり、感光体ドラム１１の周方向Ｊにおける位置は固定されている。これに対し、図５のパート（Ｂ）に示すように、収容器２１の右の側壁２１Ｌに設けられた支持突起２１１Ｒは、右側の支持フレーム２９Ｒに設けられた幅広穴２９５に挿入されている。この幅広穴２９５は、いわゆる馬鹿穴であり、感光体ドラム１１に向かって長く延びているとともに、感光体ドラム１１の周方向Ｊにおける幅が支持突起２１１Ｒよりも大きい。したがって、右側の支持突起２１１Ｒは、ドラム方向Ｋと周方向Ｊの双方に移動自在である。
【００４３】
左の側壁２１Ｌは周方向Ｊにおける位置が支持フレーム２９Ｌに固定され、右の側壁２１Ｒは幅広穴２９５によって周方向Ｊにも移動自在であるため、収容器２１は全体として、左の側壁２１Ｌの支持突起２１１Ｌを中心として、図５のパート（Ｂ）に示す矢印Ｍ１、Ｍ２の方向に回転するよう傾くことが自在となっている。収容器２１は、先に説明したように、側壁２１Ｌ，２１Ｒで、第１現像ロール２２および第２現像ロール２４それぞれの両端における軸部２２ａ，２４ａを支持している。したがって、支持フレーム２９Ｌ，２９Ｒは、収容器２１を、２本の現像ロール２２，２４のそれぞれの回転中心線Ｑ１，Ｑ２と感光体ドラム１１の回転中心線Ｏとが平行からずれることを許容した状態で支持している。
【００４４】
第１現像ロール２２の延伸方向Ｙの両端部には、トラッキングロール２２１が設けられており、第２現像ロールの両端部にも、トラッキングロール２２１が設けられている。また、バネ部材２０１によって、収容器２１には、第１現像ロール２２および第２現像ロール２４のそれぞれを感光体ドラム１１に向かって押す力が付与される。収容器２１は、第１現像ロール２２のトラッキングロール２２１および第２現像ロール２４のトラッキングロール２４１が、位置基準部材１１２に突き当てられることで、位置決めされる。
【００４５】
このとき、例えば、収容器２１が長穴２９６に沿ったドラム方向Ｋのみに移動する場合には、公差に起因して、４つのトラッキングロール２２１，２４１のうちの３つが位置基準部材１１２に突き当てられ、残りの１つが位置基準部材１１２から浮いた状態となるおそれがある。ここで、公差は、例えば、製品としての画像形成装置１における本体筐体Ｆ、感光体ドラム１１、および現像装置２０が有する寸法の公差や、感光体ドラム１１および現像装置２０の取付位置・姿勢における公差である。図５のパート（Ｃ）には、４つのトラッキングロール２２１，２４１のうち第１現像ロール２２の右側に配置されたトラッキングロール２２１が、位置基準部材１１２に接触していない状態が示されている。
【００４６】
本実施形態の現像装置２０では、２本の現像ロール２２，２４のそれぞれの回転中心線Ｑ１，Ｑ２と感光体ドラム１１の回転中心線Ｏとが平行からずれることで、トラッキングロール２２１，２４１が４つとも、位置基準部材１１２がなす曲面に突き当てられる。より詳細には、収容器２１の全体が、左の側壁の支持突起２１１Ｌを中心として、図５のパート（Ｂ）に示す矢印Ｍ１，Ｍ２の方向に傾くことで、トラッキングロール２２１，２４１が４つとも、位置基準部材１１２に突き当てられる。このとき、収容器２１に支持された２本の現像ロール２２，２４の回転中心線Ｑ１，Ｑ２と感光体ドラム１１の回転中心線Ｏとは平行からずれる。図５に示す例では、右側のトラッキングロール２４１（図５のパート（Ｃ））が位置基準部材１１２に押し当たる力のうち、周方向Ｊに沿った上向き成分の力によって、収容器２１の右側部分が上方に持ち上げられる。したがって、収容器２１が矢印Ｍ１の方向に傾く。この結果、他方のトラッキングロール２２１（図５のパート（Ｃ））も位置基準部材１１２に突き当てられる。
【００４７】
図６は、第１現像ロール２２および第２現像ロール２４の姿勢の例を説明する図である。
【００４８】
第１現像ロール２２および第２現像ロール２４のそれぞれの回転中心線Ｑ１，Ｑ２は、感光体ドラム１１の回転中心線Ｏに対し平行な線Ｑ１’，Ｑ２’からずれている。２本の現像ロール２２，２４が図６に示す例のように傾くことで、４つのトラッキングロール２２１，２４１のすべてが、上述した公差によるずれを吸収して位置基準部材１１２（図５参照）に突き当てられる。したがって、第１現像ロール２２および第２現像ロール２４と感光体ドラム１１との隙間が、予め設定された間隔となる。この結果、感光体ドラム１１に形成されるトナー像の濃度が予め設定された範囲内に維持される。
【００４９】
本実施形態の現像装置２０は、第１現像ロール２２および第２現像ロール２４の両端部のすべてが、軸受部材２１２，２１４を介して収容器２１に直接に支持されている。したがって、例えば、現像ロールの端部を支持しながら移動する支持機構や可動部分からのトナーの漏えいを抑える機能を設けた場合と比べて、部品点数が少ない。
【００５０】
［第２実施形態］
続いて、上述した現像装置２０に対し、バネ部材による加圧を用いない、本発明の第２実施形態について説明する。
【００５１】
図７は、第２実施形態の現像装置の支持構造を示す右側面図である。
【００５２】
本実施形態の現像装置２２０は、感光体ドラムの上に配置されている。このような配置は、例えば、図１に示す画像形成装置１を反時計回りに９０°回転した配置とすることによって実現される。現像装置２２０には、支持フレーム２９Ｌ，２９Ｒと収容器２１との間にバネ部材が設けられていない。本実施形態のこの他の点は、第１実施形態の現像装置２０（図２〜図６参照）と同様である。
【００５３】
本実施形態の現像装置２２０では、バネ部材による加圧の代わりに、収容器２１（すなわち現像装置２２０から、支持フレームを除いた部分）の自重による重力Ｇが収容器２１にかかる。収容器２１の重心から鉛直方向下方に向かう重力Ｇは、感光体ドラムに向かっている。
【００５４】
本実施形態の現像装置２２０は、第１実施形態の現像装置２０と同様に、２本の現像ロール２２，２４のそれぞれの回転中心線Ｑ１，Ｑ２と感光体ドラム１１の回転中心線Ｏとが平行からずれることを許容している。このため、トラッキングロール２２１，２４１が４つとも、位置基準部材１１２に突き当てられる。重力Ｇが付与された収容器２１は自ら、トラッキングロール２２１，２４１が４つとも位置基準部材１１２に押し当たる向きに傾く。
【００５５】
［第３実施形態］
続いて、第１実施形態の現像装置２０に対し、トラッキングロールを用いない、本発明の第３実施形態について説明する。以下の第２実施形態の説明にあたっては、第１実施形態における各要素と同一の要素には同一の符号を付けて示し、前述の実施形態との相違点について説明する。
【００５６】
図８は、第３実施形態の現像装置の支持構造を示す図である。図８のパート（Ａ）は左側面図であり、パート（Ｂ）は断面図であり、パート（Ｃ）は右側面図である。
【００５７】
本実施形態の現像装置３２０は、収容器２１が支持フレーム２９Ｌ，２９Ｒに４つの固定ねじ３２１で固定されており、トラッキングロールが設けられていない。したがって、感光体ドラム１１についても、第１実施形態のような位置基準部材１１２（図３）は設けられていない。
【００５８】
また、現像装置３２０は、支持フレーム２９Ｌ，２９Ｒと収容器２１との間のバネ部材も備えていない。本実施形態のこの他の点は、第１実施形態と同様である。
【００５９】
本実施形態の現像装置３２０において、第１現像ロール２２および第２現像ロール２４と感光体ドラム１１との隙間は、画像形成装置１の製造工程や、現像装置３２０の交換工程で設定される。例えば製造工程では、まず、２つの現像ロール２２，２４と感光体ドラム１１との間に、予め定めた厚みを有する柔軟な板状の治具Ｚを配置する。次に、収容器２１を感光体ドラム１１に向かって押し付けることで、２つの現像ロール２２，２４と感光体ドラム１１との間に治具Ｚを挟む。次に、押し付けを維持したままで、固定ねじ３２１を締め付け、収容器２１を支持フレーム２９Ｌ，２９Ｒに固定する。最後に、２つの現像ロール２２，２４と感光体ドラム１１との間から治具Ｚを取り除く。これによって、２つの現像ロール２２，２４と感光体ドラム１１との間には、治具Ｚの厚みに応じた隙間が形成される。
【００６０】
図８には、固定ねじ３２１が締め付けられる前の状態が示されている。固定ねじ３２１は、支持フレーム２９Ｌ，２９Ｒの穴３９５，３９６を貫通し、収容器２１の両側壁２１Ｌ，２１Ｒにねじ係合している。２つの支持フレーム２９Ｌ，２９Ｒのうち、左側の支持フレーム２９Ｌに設けられた長穴３９６は、感光体ドラム１１に向かって長く延びており、固定ねじ３２１の径に相応する幅を有する。これに対し、右側の支持フレーム２９Ｒに設けられた幅広穴３９５は、いわゆる馬鹿穴であり、感光体ドラム１１に向かって長く延びているとともに、感光体ドラム１１の周方向Ｊにおける幅が固定ねじ３２１の径よりも大きい。したがって、収容器２１の右側の壁面に固定された右側の固定ねじ３２１は、ドラム方向Ｋと周方向Ｊの双方に移動自在である。つまり、固定ねじ３２１を締め付ける前において、支持フレーム２９Ｌ，２９Ｒは、収容器２１を、２本の現像ロール２２，２４のそれぞれの回転中心線Ｑ１，Ｑ２と感光体ドラム１１の回転中心線Ｏ（図４参照）とが平行からずれることを許容した状態で支持している。ここで、固定ねじ３２１は本発明にいう固定部の一例に相当し、幅広穴３９５は本発明にいう被固定部の一例に相当する。
【００６１】
例えば、収容器２１がドラム方向Ｋのみに移動する場合、固定ねじ３２１の締め付け前において収容器２１を感光体ドラム１１に向かって押し付けると、公差に起因して、２つの現像ロール２２，２４が有する４つの端のうちの１つが治具Ｚから浮いた状態となるおそれがある。すなわち、２つの現像ロール２２，２４のうちの１つが、治具Ｚの面に対し斜めに浮いた状態となるおそれがある。
【００６２】
本実施形態の現像装置３２０では、２本の現像ロール２２，２４のそれぞれの回転中心線Ｑ１，Ｑ２と感光体ドラム１１の回転中心線Ｏとが平行からずれることで、トラッキングロール２２１，２４１が４つとも、治具Ｚに突き当てられる。そして、この状態で、固定ねじ３２１が締め付けられることによって、治具Ｚを取り除かれた後、２つの現像ロール２２，２４と感光体ドラム１１との間には、治具Ｚの厚みに応じた隙間が形成される。固定ねじ３２１による固定は、例えば接着剤で固定する場合と比べ、収容器２１の固定前の仮止め等の作業が不要である。
【００６３】
なお、上述した第３実施形態では、本発明にいう被固定部の例として、ねじ３２１が貫通する支持フレーム２９Ｌ，２９Ｒの幅広穴３９５が示されている。ただし、本発明はこれに限られるものではなく、例えば、固定ねじが貫通する幅広穴が収容器に設けられ、固定ねじが固定部材にねじ係合するものであってもよい。
【００６４】
また、上述した第３実施形態では、本発明にいう現像装置の例として、第１実施形態と同様に、感光体ドラム１１の横に配置された現像装置３２０が示されている。ただし、本発明はこれに限られるものではなく、収容器の側壁を固定部材に固定ねじで固定する現像装置が、例えば、第２実施形態で示されるように被現像体の上に配置されたものであってもよい。
【００６５】
また、上述した第２実施形態では、本発明にいう現像装置の例として、感光体ドラム１１の上に配置された現像装置２２０が示されている。ただし、本発明はこれに限られるものではなく、現像装置は、被現像体の斜め上方に配置されたものであってもよい。また、現像装置は、第２実施形態に示すように被現像体の斜め上方に配置され、かつ、第１実施形態に示すように収容器を加圧する加圧部材を備えたものであってもよい。また、本発明にいう現像装置のうち加圧部材を備えた現像装置は、被現像体の下に配置されたものであってもよい。
【００６６】
また、上述した実施形態では、２つの支持フレームのうち一方に幅広穴を備えた例が示されている。ただし、本発明はこれに限られるものではなく、例えば、幅広穴は、２つの支持フレームのうち双方にであってもよい。
【００６７】
また、上述した第１および第２の実施形態では、本発明にいう隙間維持部材の例として、位置基準部材１１２に突き当てられるトラッキングロール２２１，２４１が示されている。ただし、本発明はこれに限られるものではなく、例えば、隙間維持部材は直接被現像体に突き当てられるトラッキングロールであってもよい。また、隙間維持部材は、軸部２２ａ，２４ａに設けられた軸受に限られるものではなく、例えば、現像ロールの周面に続いて設けられた拡径部分であってもよい。
【００６８】
また、上述した第２実施形態では、２つの支持フレームによって、収容器が支持された例が示されている。ただし、本発明はこれに限られるものではなく、例えば、自重による重力によって位置決めがされる収容器については、支持フレームは設けられなくとも良い。
【００６９】
また、上述した第２実施形態では、本発明にいう加圧部材として圧縮バネからなるバネ部材２０１，２０３の例が示されている。ただし、本発明はこれに限られるものではなく、例えば、加圧部材は引張りバネやゴムであってもよい。
【００７０】
また、上述した第２実施形態では、本発明にいう固定部および被固定部として固定ねじ３２１および幅広穴３９５の例が示されている。ただし、本発明はこれに限られるものではなく、固定部および被固定部は、例えば、圧着または溶着によって固定されるものであってもよく、また、接着剤によって固定されるものであってもよい。
【００７１】
また、上述した実施形態では、本発明にいう画像形成装置の例として、帯電ロールおよびレーザ露光器を備えた構成が示されている。ただし、本発明にいう画像形成装置はこれに限られず、例えば、帯電ロールに代えてコロトロンやスコロトロンといったコロナ放電器を有するものであってもよく、レーザ露光器に代えて複数の発光ダイオードからなるアレイを有するものであってもよい。また、本発明にいう像形成部は、例えば、電極アレイによって画像に応じた電位を像保持体に直接に付与するものであってもよい。
【００７２】
上述した実施形態では、画像形成装置の例としてタンデム型のカラープリンタが示されている。ただし、本発明にいう画像形成装置はこれに限られず、例えば、中間転写ベルトを有しないモノクロ専用プリンタであってもよい。
【００７３】
また、上述した実施形態では、画像形成装置の例としてプリンタが示されている。ただし、本発明にいう画像形成装置はプリンタに限られず、例えば、複写機やファクシミリであってもよい。
【符号の説明】
【００７４】
１    画像形成装置
１０Ｙ，１０Ｍ，１０Ｃ，１０Ｋ    像形成部
１１（１１Ｙ，１１Ｍ，１１Ｃ，１１Ｋ）    感光体ドラム
１１２    位置基準部材
２０（２０Ｙ，２０Ｍ，２０Ｃ，２０Ｋ）    現像装置
２１    収容器
２１Ｌ，２１Ｒ    側壁
２２，２４    現像ロール
２２ａ，２４ａ    軸部
２９Ｌ，２９Ｒ    支持フレーム
２０１，２０３    バネ部材
２２１，２４１    トラッキングロール
２９５，３９５    幅広穴
３２１    固定ねじ
Ｆ    本体筐体
Ｑ１，Ｑ２    回転中心線
【図１】
0005945907.tif 000002
【図２】
0005945907.tif 000003
【図３】
0005945907.tif 000004
【図４】
0005945907.tif 000005
【図５】
0005945907.tif 000006
【図６】
0005945907.tif 000007
【図７】
0005945907.tif 000008
【図８】
0005945907.tif 000009